(57)【要約】【課題】  屋根材の取り付け強度が低下しにくい屋根材の取り付け構造を提供する。【解決手段】  芯材３の片面に金属板１を設けて形成されるパネル４を野地板５として芯材３を下にして建物の構造材６に載設し、金属板１に屋根材７を載置すると共に屋根材７を貫通して野地板５に固定具８を打入させることにより、屋根材７を野地板５に固定する屋根材７の取り付け構造に関する。固定具８の先端部分をドリル部１０として形成すると共に固定具８のドリル部１０よりも後方部分をドリル部１０の外径よりも大きな外径の打入部２８として形成する。固定具８を打入するに際して、野地板５の金属板１をドリル部１０で穿孔しながら野地板５に固定具８を打入すると共に固定具８の周辺部分において野地板５の金属板１を打入部２８で下方に向かって押圧して湾曲させることによって係止部９を形成する。【選択図】  図１
2005133528.tif 000002
【特許請求の範囲】
【請求項１】
芯材の片面に金属板を設けて形成されるパネルを野地板として芯材を下にして建物の構造材に載設し、金属板に屋根材を載置すると共に屋根材を貫通して野地板に固定具を打入させることにより、屋根材を野地板に固定する屋根材の取り付け構造において、固定具の先端部分をドリル部として形成すると共に固定具のドリル部よりも後方部分をドリル部の外径よりも大きな外径の打入部として形成し、固定具を打入するに際して、野地板の金属板をドリル部で穿孔しながら野地板に固定具を打入すると共に固定具の周辺部分の野地板の金属板を打入部で下方に向かって押圧して湾曲させることによって係止部を形成し、係止部を固定具の周面の被係止部に係止して成ることを特徴とする屋根材の取り付け構造。
【請求項２】
固定具の打入部の周面に野地板の金属板の厚みよりも溝幅の小さいネジ溝を形成し、係止部の先端を被係止部であるネジ山に係止して成ることを特徴とする請求項１に記載の屋根材の取り付け構造。
【発明の詳細な説明】
【技術分野】
【０００１】
本発明は、家屋の屋根を形成するために野地板に葺かれる屋根材の取り付け構造に関するものである。
【背景技術】
【０００２】
従来より、合板等からなる上板と下板との間に断熱材を設けたパネルを野地板として屋根構造材に載置して屋根下地を形成することが行われており、このような屋根下地の上に屋根材を葺くことによって建物の屋根を形成している（例えば、特許文献１参照）。しかしながら木製のパネルを用いた場合、重量が非常に大きくなって施工性が低くなるものであった。
【０００３】
そこで、二枚の金属板の間に芯材を充填して形成されるサンドイッチパネルを野地板として用いることが本出願人により提案されている（例えば、特願２００２−２７３９６９号）。このような金属板を用いたパネルの場合は上記の木製のパネルに比べて曲げ強度等の強度が大きいにもかかわらず軽量化することができるものであり、従って、屋根構造材である垂木を大きな間隔で配設してその本数を少なくすることができ、施工性の向上及び屋根全体の軽量化等を図ることができるものである。
【０００４】
ところで、野地板上に載置された屋根材はその上面（表面）からビスやテクスなどの固定具を打入し、野地板を貫通して垂木等の屋根構造材にまで固定具を打入することによって固定されている。しかし、上記のように垂木の本数を少なくすると、固定具を打入することができず、従って、固定具を野地板だけに打入して屋根材を固定するようにしているが、この場合は屋根材の取り付け強度を低下する恐れがあった。
【特許文献１】特開２０００−３２００８６号公報（図５、特許請求の範囲）
【発明の開示】
【発明が解決しようとする課題】
【０００５】
本発明は上記の点に鑑みてなされたものであり、屋根材の取り付け強度が低下しにくい屋根材の取り付け構造を提供することを目的とするものである。
【課題を解決するための手段】
【０００６】
本発明の屋根材の取り付け構造は、芯材３の片面に金属板１を設けて形成されるパネル４を野地板５として芯材３を下にして建物の構造材６に載設し、金属板１に屋根材７を載置すると共に屋根材７を貫通して野地板５に固定具８を打入させることにより、屋根材７を野地板５に固定する屋根材７の取り付け構造において、固定具８の先端部分をドリル部１０として形成すると共に固定具８のドリル部１０よりも後方部分をドリル部１０の外径よりも大きな外径の打入部２８として形成し、固定具８を打入するに際して、野地板５の金属板１をドリル部１０で穿孔しながら野地板５に固定具８を打入すると共に固定具８の周辺部分において野地板５の金属板１を打入部２８で下方に向かって押圧して湾曲させることによって係止部９を形成し、係止部９を固定具８の周面の被係止部１３に係止して成ることを特徴とするものである。
【０００７】
この発明によれば、野地板５の金属板１にドリル部１０で穿孔しながら打入部２８を打入することによって形成される係止部９の被係止部１３への係止によって固定具８を野地板５から抜けにくくすることができ、この固定具８により屋根材７を野地板５に強固に固定することができて屋根材７の取り付け強度が低下しにくいものである。また、固定具８を打入する作業により、係止部９の形成と係止部９の被係止部１３への係止とを行うことができ、屋根材７を強固に取り付ける作業を簡単に行うことができるものである。
【０００８】
また、本発明において、固定具８の打入部２８の周面に野地板５の金属板１の厚みよりも溝幅Ｌの小さいネジ溝１１を形成し、係止部９の先端を被係止部１３であるネジ山１２に係止することができる。
【０００９】
この発明によれば、係止部９がネジ溝１１に完全に入り込まないようにすることによって、固定具８を打入するためのネジ山１２を被係止部１３として利用することができ、固定具８を複雑な形状にすることなく、屋根材７を野地板５に強固に固定することができるものである。
【発明の効果】
【００１０】
本発明は、被係止部への係止部の係止によって固定具が野地板から抜けにくくすることができ、この固定具により屋根材を野地板に強固に固定することができて屋根材の取り付け強度が低下しにくいものである。
【発明を実施するための最良の形態】
【００１１】
以下、本発明を実施するための最良の形態を説明する。
【００１２】
本発明において、野地板５はパネル４で形成されているが、このパネル４は従来から壁パネルや屋根パネル、床パネルなどの建築材料として使用されているものである。パネル４としては芯材３の少なくとも片面に金属板１を設けて形成されるものであればよく、例えば、表面板と裏面板からなる二枚の金属板１、２の間に芯材３を充填して接着して形成されるサンドイッチパネルを用いることができる。金属板１、２はステンレス鋼板、亜鉛めっき鋼板、塗装鋼板、ガルバリウム鋼板（亜鉛−アルミニウム合金めっき鋼板）などで形成することができ、また芯材３はフェノールフォームやウレタンフォームなどの樹脂発泡体やグラスウールやロックウールなどの無機繊維体などで形成することができるが、これらのものに限定されるものではない。また、金属板１、２の厚みは０．２〜１．６ｍｍ、芯材３の厚みは１５〜２００ｍｍとすることができるが、これらに限定されるものではない。さらに、パネル４としては凹凸嵌合により接続されるものを用いても良い。
【００１３】
本発明において、屋根材７としては従来から使用されているものをそのまま用いることができる。図２に示す屋根材７は、上記と同様の金属板を曲げ加工するなどして略板状に形成されるものであって、屋根材７の軒側端部（屋根の勾配に対して下側になる方）には嵌合凹部２０が形成されていると共に屋根材７の棟側端部（屋根の勾配に対して上側になる方）の近傍には屋根材７の表面側（上面側）に突出する嵌合凸部２１が設けられている。さらに、屋根材７の棟側端部は固定片２３として形成されており、嵌合凸部２１よりも棟側に延設されている。尚、図２に示す屋根材７は一例であって、他の材料や形状で形成しても良い。
【００１４】
本発明で用いる固定具８はステンレス鋼や真鍮等の金属製で、図３（ａ）（ｂ）に示すように、ビスやネジのような形状であって、先端部分のドリル部１０と中間部分のネジ部２５と後端部分の頭部２６とで構成されている。ドリル部１０は先端が鋭利に尖ってドリルのような形状に形成されているものであり、これにより、屋根材７の固定片２３やパネル４の金属板１や芯材３をドリル部１０で穿孔することができるようになっている。また、ネジ部２５の外面にはネジ溝１１（雄ネジ）が形成されているが、そのネジ溝１１の溝幅Ｌは上記パネル４の表面板となる金属板１の厚みよりも小さく形成されている。さらに、ネジ部２５の外径（ネジ山１２の部分の外径）Ｄはドリル部１０の外径ｄよりも０．５〜２．０ｍｍ程度大きく形成されており、このネジ部２５が固定具８を野地板５にねじ込んだ際に固定具８の周辺部分の野地板５の金属板１を下方に向かって押圧して湾曲させるための打入部２８として形成されている。
【００１５】
そして、本発明において屋根材７を取り付けるにあたっては、次のようにして行う。まず、母屋や垂木等で構成される建物の構造材６の上に上記のパネル４を載置して固定することによって、芯材３を金属板１よりも下にした状態でパネル４を野地板５とした屋根下地を形成する。この時、構造材６へのパネル４の固定はテクスを打入するなどして行うことができる。また、複数枚のパネル４を構造材６の上に並べて屋根下地を形成することができるが、パネル４が凹凸嵌合により接続できるものであれば、隣接するパネル４同士を凹凸嵌合により接続する。次に、構造材６に固定したパネル４の上に屋根材７を載置する。この時、屋根材７に設けた固定片２３をパネル４の表面側の金属板（上面板）１に接触させるようにする。次に、屋根材７の表面側から上記の固定具８を固定片２３に打入することによって屋根材７をパネル４の上に固定する。この時、固定具８は固定片２３とパネル４の金属板１を貫通して芯材３にまで達するが、芯材３や裏面側の金属板（下面板）２を貫通する必要はない。但し、固定具８が芯材３や裏面側の金属板２を貫通するのを否定するものではない。
【００１６】
上記のように一枚の屋根材７を固定した後、他の屋根材７を上記と同様にしてパネル４の表面に固定する。この時、軒棟方向に隣接する屋根材７、７は、軒側の屋根材７の嵌合凸部２１に棟側の屋根材７の嵌合凹部２０を嵌合させるようにして接続するものである。このようにして屋根材７を軒側から棟側に向かって順次施工していくことによって、図４に示すように、複数枚の屋根材７をパネル４の表面に取り付けて屋根を形成することができるものである。
【００１７】
そして、本発明では上記のようにして屋根材７を野地板５に取り付けることによって、屋根材７の取り付け強度が低下しにくくなるものである。すなわち、固定具８を屋根材７の固定片２３にねじ込んで打入していくと、先端部分のドリル部１０で固定片２３とパネル４の表面側の金属板１と芯材３とに穿孔しながら固定具８を打入することになるが、ドリル部１０の外径は固定具８のネジ部２５の外径よりも小さく形成されているために、ドリル部１０により表面側の金属板１に形成される孔はネジ部２５の外径よりも小さくなるものである。また、ネジ部２５に形成されたネジ溝１１の溝幅Ｌは表面側の金属板１の厚みよりも小さく形成されており、ドリル部１０で形成された孔の周縁部の金属板１がネジ溝１１に入り込まないようにすることができる。従って、固定具８を屋根材７の固定片２３にねじ込んで打入していくと、ドリル部１０より金属板１に穿孔された孔の周縁部がネジ部２５（打入部２８）で上側（表面側）から押圧されることになり、この結果、図１に示すように、固定具８のネジ部２５の周辺近傍部分において金属板１が下方（パネル４の内方）に向かって湾曲し、この湾曲した部分で係止部９が形成されるものである。また、このようにして形成された係止部９の先端は、その一部分（角部分）が固定具８のネジ部２５の周面に形成されるネジ溝１１に挿入された状態で、被係止部１３として形成されるネジ山１２に係止されるものであり、これにより、係止部９に固定具８の被係止部１３が係止されて野地板５から固定具８が抜けにくくなるものである。そして、このように固定具８が野地板５から抜けにくくなるために、固定具８により屋根材７を野地板５に強固に固定することができ、屋根材７の取り付け強度が低下しにくくなるものである。尚、固定具８を屋根材７の固定片２３にねじ込んで打入していくと、ドリル部１０により固定片２３に穿孔された孔の周縁部がネジ部２５で上側から押圧され、ネジ部２５の周辺近傍部分において固定片２３も下方に向かって湾曲してネジ部２５に係止するものである。
【００１８】
図５（ａ）（ｂ）には固定具８の他例を示す。この固定具８は図３のものにおいて、ネジ部２５をやや長く形成すると共に下側になるほど（ネジ部２５に近くなるほど）外径が徐々に小さくなる押圧部２７が頭部２６の下部に形成されている。その他の構成は図３のものと同様に形成されている。
【００１９】
図５（ａ）（ｂ）に示す固定具８も上記と同様に使用される。すなわち、構造材６に固定したパネル４の上に屋根材７を載置した後、屋根材７の表面側から上記の固定具８を固定片２３及びパネル４に打入することによって、図６、７に示すように、屋根材７をパネル４の上に固定するものであるが、固定具８を屋根材７の固定片２３にねじ込んで打入する際に、ドリル部１０により金属板１に穿孔された孔の周縁部をネジ部２５と押圧部２７との両方で上側（表面側）から押圧することができ、係止部９を押圧部２７の外形に沿って綺麗に湾曲させて形成することができ、係止部９が歪な形状にならないようにして被係止部１３への係止を確実に行うことができるものであり、従って、固定具８がさらにパネル４から外れにくくなって、より強固に屋根材７をパネル４の上に固定することができるものである。尚、固定具８を屋根材７の固定片２３にねじ込んで打入していくと、ドリル部１０により固定片２３に穿孔された孔の周縁部がネジ部２５と押圧部２７で上側から押圧され、ネジ部２５及び押圧部２７の周辺近傍部分において固定片２３も下方に向かって湾曲するものである。
【００２０】
図８に本発明の他の実施の形態を示す。この実施の形態では屋根材７として、繊維補強セメント瓦のような屋根スレートを用いている。このような屋根材７は図９に示すように、頂部７ａと肩部７ｂとを有する平面視で五角形に形成され、横方向に防水溝７ｃを有するものであって、幅寸法９１０ｍｍ、前端から頂部７ａまでの寸法４１４ｍｍ、前端から肩部７ｂまでの寸法３３２ｍｍ、厚み４．５ｍｍとすることができるが、屋根材７の形状や寸法は上記に限定されるものではない。
【００２１】
また、この実施の形態では固定具８として図１０（ａ）（ｂ）に示すように、図５（ａ）（ｂ）の固定具８の押圧部２７の表面に複数本の突起８ａを設けたものを用いている。この突起８ａは押圧部２７の表面に沿って上下方向に長い線状に形成されるものであって、押圧部２７の表面からの突出寸法は０．５〜１．０ｍｍ、隣り合う突起８ａ、８ａ間の寸法は０．５〜１．０ｍｍにすることができるが、これらに限定されるものではない。その他の構成は上記実施の形態と同様である。
【００２２】
そして、この実施の形態においても上記と同様にして屋根材７を施工することができる。すなわち、構造材６に固定したパネル４の上に屋根材７を載置した後、屋根材７の表面側から上記の固定具８を屋根材７及びパネル４に打入することによって、図８に示すように、屋根材７をパネル４の上に固定するものであり、上記と同様に、固定具８のネジ部２５の周辺近傍部分において金属板１が下方（パネル４の内方）に向かって湾曲し、この湾曲した部分で係止部９が形成されると共に、係止部９の先端はその一部分（角部分）が固定具８のネジ部２５の周面に形成されるネジ溝１１に挿入された状態で、被係止部１３として形成されるネジ山１２に係止されるものであり、これにより、係止部９に固定具８の被係止部１３が係止されて野地板５から固定具８が抜けにくくなるものである。そして、このように固定具８が野地板５から抜けにくくなるために、固定具８により屋根材７を野地板５に強固に固定することができ、屋根材７の取り付け強度が低下しにくくなるものである。また、固定具８を屋根材７にねじ込む際に、固定具８をねじ込んでいく孔の内面を突起８ａで削りながらねじ込むことができ、固定具８と屋根材７との間に隙間が生じるのを防止して屋根材７をガタツキなく取り付けることができると共に、屋根材７とこれにねじ込んだ固定具８との摩擦力を突起８ａにより大きくすることができ、ねじ込む際の回転と逆の回転を固定具８に生じにくくして固定具８の緩みを防ぐことができるものであり、これにより、固定具８の屋根材７及びパネル４からの脱落を防止することができるものである。尚、図８に示すように、パネル４上に取り付けられた複数枚の屋根材７において、軒棟方向に隣接する屋根材７、７は一部を重ねながら施工されるものである。
【図面の簡単な説明】
【００２３】
【図１】本発明の実施の形態の一例を示す一部の断面図である。
【図２】同上の屋根材の一例を示す斜視図である。
【図３】同上の固定具の一例を示し、（ａ）は平面図、（ｂ）は正面図である。
【図４】同上の一例を示す一部の断面図である。
【図５】同上の固定具の他例を示し、（ａ）は斜視図、（ｂ）は正面図である。
【図６】同上の他例を示す一部の断面図である。
【図７】同上の他例を示す一部の断面図である。
【図８】同上の他の実施の形態の一例を示す一部の断面図である。
【図９】同上の屋根材の他例を示す平面図である。
【図１０】同上の固定具の他例を示し、（ａ）は斜視図、（ｂ）は正面図である。
【符号の説明】
【００２４】
１  金属板
３  芯材
４  パネル
５  野地板
６  構造材
７  屋根材
８  固定具
９  係止部
１０  ドリル部
１１  ネジ溝
１２  ネジ山
１３  被係止部
２８  打入部
【図１】
2005133528.tif 000003
【図２】
2005133528.tif 000004
【図３】
2005133528.tif 000005
【図４】
2005133528.tif 000006
【図５】
2005133528.tif 000007
【図６】
2005133528.tif 000008
【図７】
2005133528.tif 000009
【図８】
2005133528.tif 000010
【図９】
2005133528.tif 000011
【図１０】
2005133528.tif 000012